(57)【特許請求の範囲】
【請求項１】
地中に埋設された杭の近傍の地盤に、先端開口部を開閉する開閉手段を備え、該開閉手段により前記先端開口部が閉塞された中空のケーシングを貫入し、該ケーシング内に建設現場で発生した土砂、ソイルセメント、泥水、コンクリートがら又は木片のいずれか１種以上を投入したのち、前記開閉手段により前記先端開口部を開放し、前記ケーシングを地盤から引き抜いて前記杭の周面摩擦力を増大させることを特徴とする杭の摩擦力増大方法。
【請求項２】
ケーシングの先端部又はその近傍に推進翼を設けたことを特徴とする請求項１記載の杭の摩擦力増大方法。
【請求項３】
ケーシングの外周に螺旋状のリブを設けたことを特徴とする請求項１記載の杭の摩擦力増大方法。
【請求項４】
開閉手段を、ケーシングの先端部に設けられ該ケーシングの貫入時には先端開口部を閉塞し、該ケーシングの引き抜き時には該先端開口部を開放する蓋体によって構成したことを特徴とする請求項１〜３のいずれかに記載の杭の摩擦力増大方法。
【請求項５】
開閉手段を、ケーシングの先端開口部より小径又は大径の蓋体と、該蓋体に設けられた前記ケーシングとほぼ等しい長さの保持軸とによって構成し、ケーシングの貫入時には前記蓋体により先端開口部を閉塞し、前記保持軸による蓋体の引上げによって該先端開口部を開放するように構成したことを特徴とする請求項１〜３のいずれかに記載の杭の摩擦力増大方法。
【発明の詳細な説明】
【０００１】
【発明の属する技術分野】
本発明は、杭の摩擦力増大方法に係り、さらに詳しくは、地中に埋設された杭の近傍にケーシングを貫入して杭周囲の地盤を圧縮し、杭の周面摩擦力や水平抵抗力を増大するようにした杭の摩擦力増大方法に関するものである。
【０００２】
【従来の技術】
場所打ち杭やソイルセメント系の杭、あるいは杭体に突条を設けた杭などは、中掘り杭に比べて大きな周面摩擦力を発揮することができる。しかし、地盤が軟弱であれば大きな周面摩擦力を得ることができず、また、負の周面摩擦力が生じるおそれがある地盤ではそれに対する処置をする必要がある。
【０００３】
杭の周面摩擦力を増加させる杭として、特開平９−２７９５７４号公報に記載された発明がある。この発明に係る摩擦力増大杭は、掘削孔の口径を一定とせず小径部と大径部とを設け、ソイルセメント柱を地盤中に形成し、このソイルセメント柱の内部に鋼管又は形鋼などの補強材を挿入して固定し、かつ、ソイルセメント柱の表面を凹凸状に形成して地盤との周面摩擦力を増大させるようにしたものである（従来技術１）。
【０００４】
また、特開平１０−７２８２５号公報に記載された基礎杭の施工方法は、杭外周部に節状の突起を形成した節杭と鋼管杭とを接合し、鋼管杭の内部より節杭の頭部を打撃することにより杭を打設し、杭の周囲に砂、砂利、砕石等の充填材を充填して、周面摩擦力を確保したものである（従来技術２）。
【０００５】
さらに、特許第３０３１２４７号公報に記載された翼付きねじ込み鋼管杭は、翼により鋼管杭を強固な地層までねじ込んで埋設することができ、また、翼により大きな先端支持力が得られ、翼から伝達される曲げモーメントにより鋼管に過大な曲げ応力が生ずることがないようにしたものであって、鋼管杭の周辺の地盤は施工時に鋼管杭の側方に押し出され、圧縮されて密度の高い土砂になるため、大きな周面摩擦力を得ることができる（従来技術３）。
【０００６】
【発明が解決しようとする課題】
従来技術１は、ソイルセメント柱を造成するために多量のソイルセメントが地上に排出され、産業廃棄物として処理しなければならないため、処理が面倒であるばかりでなく大きなコストアップとなる。
従来技術２も施工時に掘削残土が発生するため、従来技術１の場合と同様の問題がある。
また、従来技術３は、鋼管杭を回転圧入するため無排土で施工できるが、大きな翼で周辺地盤を乱すため、鋼管杭で土を周辺に押し出しても、従来の打ち込み杭程度までしか周面摩擦力の向上が期待できない。
【０００７】
本発明は、上記の課題を解決するためになされたもので、以下のような杭の摩擦力増大方法を提供することを目的としたものである。
（１）施工されたあらゆる杭を対象として、それらの周面摩擦力を増大させる。
（２）ケーシングを地盤に無排土で貫入することができ、現場内で発生する建設残土等を処理できる。
（３）施工にあたっては、低騒音、低振動である。
（４）ケーシングは使い回しが可能で、何回でも使用できる。
（５）建設残土等を他の場所へ運搬して処理する必要がないため、経済的である。
【０００８】
【課題を解決するための手段】
（１）本発明に係る杭の摩擦力増大方法は、地中に埋設された杭の近傍の地盤に、先端開口部を開閉する開閉手段を備え、該開閉手段により前記先端開口部が閉塞された中空のケーシングを貫入し、該ケーシング内に建設現場で発生した土砂、ソイルセメント、泥水、コンクリートがら又は木片のいずれか１種以上を投入したのち、前記開閉手段により前記先端開口部を開放し、前記ケーシングを地盤から引き抜いて前記杭の周面摩擦力を増大させるようにしたものである。
【０００９】
（２）上記（１）の杭の摩擦力増大方法において、ケーシングの先端部又はその近傍に推進翼を設けた。
（３）また、上記（１）の杭の摩擦力増大方法において、ケーシングの外周に螺旋状のリブを設けた。
【００１０】
（４）上記（１）〜（３）のいずれかの杭の摩擦力の増大方法において、開閉手段を、ケーシングの先端部に設けられ該ケーシングの貫入時には先端開口部を閉塞し、該ケーシングの引き抜き時には該先端開口部を開放する蓋体によって構成した。
【００１１】
（５）上記（１）〜（３）のいずれかの杭の摩擦力の増大方法において、開閉手段を、ケーシングの先端開口部より小径又は大径の蓋体と、該蓋体に設けられた前記ケーシングとほぼ等しい長さの保持軸とによって構成し、ケーシングの貫入時には前記蓋体により先端開口部を閉塞し、前記保持軸による蓋体の引上げによって該先端開口部を開放するように構成した。
【００１２】
【発明の実施の形態】
本発明は、従来技術のように、杭の周囲に突起を設けたり、セメント系固化材を用いて周面摩擦力を増加させるのではなく、杭施工後に周囲の地盤を押し固めることにより、周面摩擦力を増大させるようにしたものであって、どのような杭にも適用することができる。以下、本発明の実施の形態について詳細に説明する。
【００１３】
［実施の形態１］
図１は本発明の実施の形態１に係る杭の摩擦力増大方法の説明図、図２はその平面説明図である。
図において、３０は地中に埋設された杭である。１は杭３０の近傍において地盤に貫入されたケーシングで、図１には２本の杭３０の間にケーシング１を貫入した場合が示してある。ケーシング１の一例を図３に示す。
【００１４】
図３において、１は断面円形で中空の鋼管２からなるケーシングで、先端部には推進翼３が設けられている。この推進翼３は、図にはケーシング１の先端部外周に２枚の翼を交差して取付けた場合を示してあるが、これに限定するものではなく、周知の翼付きねじ込み式鋼管杭の場合と同様に、ケーシング１の先端部に取付け、あるいは軸方向に複数段設けてもよい。また、その形状も、平板状、螺旋状、多角形状、さらにはこれらを分割したものなど、適宜選択することができる。なお、この推進翼３は、ケーシング１の推進力を得るために用いられるものであるから、翼付きねじ込み式鋼管杭の翼のように支持力を得るために板厚を厚くする必要はない。また、支持層や中間層などに貫入する必要がない場合には、さらに板厚を薄くすることができる。
【００１５】
また、ケーシング１の先端開口部には、ケーシング１を地盤に貫入する際に、ケーシング１内に土砂が侵入しないように、かつ、ケーシング１を引上げる際に、ケーシング１内に投入した土砂を地中に残すために、先端開口部を開閉する開閉手段１０が設けられている。この開閉手段１０は、例えばケーシング１の内径より若干小径で円板状の鋼板からなる蓋体１１と、その上面中心部に取付けられた保持軸１２とからなり、保持軸１２の上端部近傍はケーシング１の上端部に着脱可能に取付けられている。
【００１６】
次に、図４、図５により本発明の施工手順の一例について説明する。なお、両図において、２５は地上に設置された杭打ち機、２６は杭打ち機に設けられたケーシング１の駆動モータである。
（１）図４（ａ）に示すように、地中に埋設された杭３０の近傍において、ケーシング１の上端部を杭打ち機２５のモータ２６に連結し、駆動モータ２６によりケーシング１を回転させて、推進翼３の木ねじ作用により先端開口部が蓋体１１で閉塞されたケーシング１を地中に貫入する。
このとき、ケーシング１の周囲及び先端部の土砂はケーシング１の周囲に圧縮され、ケーシング１内には侵入しないため、杭３０の周面摩擦力や水平抵抗力が上昇する。なお、ケーシング１の貫入にあたっては、駆動モータ２６をケーシング１の胴部に装着するようにしてもよく、また、保持軸１７をケーシング１に固定しないでフリーにしておき、ケーシング１と共に駆動モータ２６に連結してもよい。
【００１７】
（２）ケーシング１が、その先端部が地表Ｇの近傍に達するまで貫入されたときは（必要に応じて継杭をしてもよい）、駆動モータ２６をケーシング１から取外し、保持軸１２のみを駆動モータ２６に取付けた状態で、図４（ｂ）に示すように、駆動モータ２６を上昇させて蓋体１１をケーシング１から引き抜く。
【００１８】
（３）ついで、図４（ｃ）に示すように、ケーシング１内に残土等４を投入する。ここで、残土等とは、土砂だけでなく、ソイルセメント、泥水、コンクリートがら、木片等（以下、これらを一括して残土等という）、地中に残置可能な物を対象とする。また、別の場所から砂などを持ってきてもよい。
【００１９】
（４）ケーシング１内に残土等４が一杯になったときは、図５（ａ）に示すように、ケーシング１の上端部に再びモータ２６を装着し、ケーシング１を反対方向に回転させて、地中から引き抜く。このとき、必要に応じて残土等４を投入しながらケーシング１を引き抜いてもよく、また、ケーシング１内に投入した残土等４に対して下方に押し込み力を加えて、残土等４をケーシング１から吐き出し易いようにしてもよい。
【００２０】
（５）これにより、図５（ｂ）に示すように、地盤に形成された残土等投入穴５内には投入された残土等４だけが残置され、地盤と同化する。なお、ケーシング１内に残土等を投入しただけでは緩い状態になっている場合もあるので、ハンマー等で締め固めを行って密度を高くし、さらに多くの残土等４を投入するようにしてもよい。
【００２１】
【実施例】
図２に示すように、地中に埋設された多数の杭３０のうち、隣接する複数の杭３０の中央部に、外径５００ｍｍ、板厚１４ｍｍ、長さ１３ｍの鋼管２の先端部外周に外径１０００ｍｍ、板厚１５ｍｍの螺旋状の推進翼３を取付けたケーシング１内に、外径４６０ｍｍ、板厚２５ｍｍの蓋体１１に保持軸１２を取付けた開閉手段１０を挿入し、保持軸１２の上端部をケーシング１に固定した。そして、ケーシング１の上端部を杭打ち機２５のモータ２６に装着してケーシング１を回転し、推進翼３を利用してケーシング１を地表面から１２ｍの深さまで無排土、低振動、低騒音で貫入した。
【００２２】
そして、ケーシング１から蓋体１１を引抜いたのちケーシング１内に残土等を投入し、ついで、ケーシング１を反対方向に回転して引き上げ、残土等投入穴５内の残土等をハンマーで締め固めてさらに残土を投入した。
これにより、ケーシング１の貫入時の周辺の地盤の圧縮、ケーシング１の引き上げ後の残土投入穴５内の残土の締め固めにより、ケーシング１によって形成された残土等投入穴５の周辺の杭３０の周面摩擦力及び水平抵抗力が大幅に高められたことを確認した。
【００２３】
上記のように構成した本実施の形態においては、ケーシング１の貫入による周辺地盤の横方向への圧縮、及び必要に応じて残土投入穴５内の残土の締め固めにより、ケーシング１によって形成された残土投入穴５の周辺の杭３０の周面摩擦力及び水平抵抗力を大幅に高めることができる。特に、杭３０に負の摩擦力が作用するような地盤においては、杭周囲地盤を圧縮することにより負の摩擦力の現象を軽減することができるので、きわめて有効である。
また、本実施の形態によれば、建設現場等で発生した残土等の少なくとも一部をケーシング１内及び残土投入穴５内に投入して処理することができるので、従来きわめて面倒とされていた残土処理の問題を軽減することができる。
【００２４】
［実施の形態２］
図６は実施の形態２に係る杭の摩擦力増大方法に使用するケーシングの説明図である。
実施の形態１においては、ケーシング１の下部に推進翼３を設け、その木ねじ作用によりケーシング１を地中に貫入する場合を示したが、本実施の形態においては、ケーシングを貫入する地盤が比較的軟弱で、推進翼を設けるほどの推進力を必要とせず、小さい推進力又は押込み力で施工できる場合には、ケーシングをリブ付き鋼管で構成し、推進翼を省略したものである。
【００２５】
図において、１ａはリブ付き鋼管２ａからなるリブ付きケーシングで、例えば、圧延によって表面にリブが設けられた鋼板を曲げ加工して、外周面に螺旋状のリブ６を形成したものである。なお、１０は蓋体１１と保持軸１２とからなり、リブ付きケーシング１ａの先端開口部を開閉する開閉手段である。
【００２６】
上記のように構成した本実施の形態に係るリブ付きケーシング１ａは、その上端部を実施の形態１の場合と同様に、杭打ち機２５に設けた駆動モータ２６に装着し、駆動モータ２６によって小さいトルクで回転することにより、リブ６の推進力により地盤に貫入される。以下の手順は実施の形態１の場合と同様である。
【００２７】
上記の説明では、リブ付き鋼板を曲げ加工して螺旋状のリブ６を有するリブ付き鋼管２ａによりリブ付きケーシング１ａを形成した場合を示したが、例えば、リブのない通常の鋼管の外周面に、鉄筋等の突条を溶接により螺旋状に接合してリブ付きケーシング１ａを構成してもよく、さらに、リブ６を不連続にしてもよい。
本実施の形態による効果も実施の形態１の場合とほぼ同様であるが、特に、比較的軟弱な地盤に施工する場合に有効である。
【００２８】
［実施の形態３］
図７は実施の形態３に係る杭の摩擦力増大方法に使用するケーシングの説明図である。
実施の形態２では比較的軟弱な地盤に施工する推進翼を省略したリブ付きケーシング１ａについて説明したが、本実施の形態は、さらに軟弱な地盤に施工して有効なケーシングに関するものである。
【００２９】
すなわち、図７に示すように、通常の鋼管２によってケーシング１を形成したもので、推進翼は省略されている。なお、１０は蓋体１１と保持軸１２とからなり、ケーシング１の先端開口部を開閉する開閉手段である。
本実施の形態におけるケーシング１の施工方法も実施の形態１の場合と同様であるが、施工にあたっては、ケーシング１を駆動モータ２６で回転させながら押込み力により圧入すればよい。
【００３０】
［実施の形態４］
図８は実施の形態４に係る杭の摩擦力増大方法に使用するケーシングの説明図で、通常の鋼管２の先端部に比較的長いテーパー管７を接合してケーシング１を構成したものである。なお、テーパー管７の先端開口部は、例えば後述の開閉手段（図１２）によって開閉される。
本実施の形態による効果も実施の形態１の場合とほぼ同様であるが、先端部が長いテーパー管７で形成されているため、地盤に錐の要領で貫入することができ、このため軟弱な地盤に施工する場合に有効である。
【００３１】
［実施の形態５］
本実施の形態は、上述の各実施の形態におけるケーシングの先端開口部を開閉する開閉手段の他の実施の形態に関するものである。
図９（ａ）は、推進翼３をケーシング１の先端部に設けると共に、この推進翼３をケーシング１の内径に沿った大きさに切断して推進翼３の一部からなる蓋体１を構成し、その中心部に保持軸１２を取付けて開閉手段１０を形成したものである。
【００３２】
施工にあたっては、蓋体１１を推進翼３の切除部内に収容して地盤中に貫入する。これにより、ケーシング１の貫入時には蓋体１１は、図９（ａ）に示すように、推進翼３の一部を構成して推進に寄与し、ケーシング１が所定の深さ位置まで貫入されたときは、図９（ｂ）に示すように、杭打ち機２５により蓋体１１を引上げるようにしたものである。
本例によれば、ケーシング１の貫入時に蓋体１１が推進に寄与するため、地盤の抵抗を軽減し、より小さいトルクで施工することができる。
【００３３】
図１０（ａ）は、保持軸１２の先端部に、鋼管２の内径より小径の鋼材からなる基台１３を取付けると共に、鋼管２の外径より大径のドーナツ状の鋼板を複数に分割した蓋体１１を構成する蓋体片１４の内縁側上部を、ヒンジ等１５により基台１３の下面に回動可能に取付けて開閉手段１０を構成したものである。
【００３４】
上記のように構成した本例においては、ケーシング１の貫入時は、図１０（ａ）に示すように、保持軸１２がケーシング１又は駆動モータ２６に固定されており、基台１３がケーシング１の先端開口部の近傍に位置しているため、各蓋体片１４は地盤の抵抗により、その外周縁側の上面がケーシング１の先端部に押し付けられてほぼ水平に保持され、ケーシング１の先端開口部を閉塞する。
また、開閉手段１０を引き上げる場合は、図１０（ｂ）に示すように、上方に引き上げれば、蓋体片１４はヒンジ１５を軸に下方（内側）に回動するため、支障なく引き上げることができる。
【００３５】
図１１（ａ）は、鋼管２の内径とほぼ等しい外径で比較的厚い円形鋼板を複数に分割して蓋体１１を構成する蓋体片１６を形成し、この蓋体片１６の外周縁の下面側を、ヒンジ等１５によりケーシング１の先端部内壁にそれぞれ回動可能に取付けて、開閉手段１０を構成したものである。
このように構成した本例においては、ケーシング１の貫入時は地盤の抵抗により蓋体片１６は実線で示すように、ヒンジ等１５を軸に内側に回動してその外周壁がケーシング１の内壁に当接し、ほぼ水平に保持されてケーシング１の先端開口部を閉塞する。
また、開閉手段１０の引き上げ時は、ケーシング１内に投入された残土等４の抵抗により、蓋体片１６は破線で示すように、ヒンジ等１５を軸に外方に回動して下方に押し広げられ、ケーシング１の先端開口部を開放する。
【００３６】
図１１（ｂ）は、鋼管２の内径とほぼ等しい外径で比較的厚い円形鋼板からなる蓋体１１を有し、この蓋体１１の外周縁の一端の下面側を、ヒンジ等１５によりケーシンング１の先端部内壁に回動可能に取付けて、開閉手段１０を構成したもので、その作用は、図１１（ａ）の開閉手段１０の場合とほぼ同様である。
【００３７】
上述の図１１（ａ），（ｂ）に示した開閉手段１０は、保持軸を必要とせず、複数個の蓋体片１６からなる蓋体１１又は１個の蓋体１１を、直接ケーシング１の先端部に取付けて、地盤又は残土等４の抵抗によりケーシング１の先端開口部を自動的に開閉するようにしたので、構造がきわめて簡単であるばかりでなく、施工にあたっては、ケーシング１内への開閉手段１０の挿入及び引上げ工程を省略することができる。
【００３８】
図１２は鋼管２の外径より大きい外径の円形鋼板を複数に分割して蓋体１１を構成する蓋体片１７を形成し、この蓋体片１７の外周縁の一端をケーシング１の先端部にヒンジ等１５によりそれぞれ回動可能に取付けて開閉手段１０を構成したものである。
【００３９】
このように構成した開閉手段１０は、ケーシング１の地盤への貫入にあたっては、地盤の抵抗により蓋体片１７が内側に押圧されて、図１２（ａ）に示すように、先端部どうしが当接して円錐状になる。このため、地盤の抵抗が少なく、貫入し易い。また、ケーシング１を引上げる場合は、ケーシング１内に投入された残上等４の重量及び押し下げ力により、図１２（ｂ）に示すように、蓋体片１７はヒンジ１５を軸に外方に押し広げられ、ケーシング１の先端開口部を開放する。
本例においても、図１１の例の場合と同様の効果を得ることができる。
【００４０】
以上、ケーシングの先端開口部を開閉する開閉手段の実施の形態について説明したが、本発明に用いるケーシングの開閉手段はこれに限定するものではなく、他の手段を用いてもよい。例えば、ケーシングの先端部を切り欠いて傾きを持たせて開閉手段を取り付けてもよく、この場合は、ケーシングの外径より若干大きい張り出しのある開閉手段を設ければ推進に寄与し、推進翼を省略することもできる。
また、上記の各実施の形態においては、ケーシングの貫入時には開閉手段により先端開口部全体を閉塞する場合を示したが、発明者らが行った施工試験によれば、部分的開放部（例えば、先端開口部の面積の３０％程度の開放部）があっても土砂等の侵入はほとんどみられなかったので、先端開口部全体を閉塞せず部分的開放部があっても施工に支障がない。
【００４１】
上記の各実施の形態においては、ケーシングに断面円形で中空の鋼管を用いた場合を示したが、施工にあたって無排土で地盤を周囲に圧縮できるものであれば、断面楕円形、多角形等の中空の鋼管を用いてもよい。
また、ケーシング内に現場で発生した残土等を投入する場合について説明したが、他所から運搬した残土等を投入して処理してもよい。
【００４２】
【発明の効果】
請求項１に係る発明は、地中に埋設された杭の近傍の地盤に、先端開口部を開閉する開閉手段を備え、該開閉手段により前記先端開口部が閉塞された中空のケーシングを貫入し、該ケーシング内に建設現場で発生した土砂、ソイルセメント、泥水、コンクリートがら又は木片のいずれか１種以上を投入したのち、前記開閉手段により前記先端開口部を開放し、前記ケーシングを地盤から引き抜くようにしたので、杭の周面摩擦力を増大することができる。また、現場内で発生する残土等をケーシング内に投入して処理することができ、さらに、ケーシングは繰返し使用できるので経済的である。
【００４３】
請求項２に係る発明は、請求項１の発明において、ケーシングの先端部又はその近傍に推進翼を設けたので、硬い地盤の場合でも貫入が容易である。
また、請求項３に係る発明は、請求項１の発明において、ケーシングの外周にリブを設けたので、比較的軟弱な地盤の場合、小さいトルクで貫入することができる。
【００４４】
請求項４に係る発明は、請求項１〜３のいずれかの発明において、開閉手段を、ケーシングの先端部に設けられ該ケーシングの貫入時には先端開口部を閉塞し、該ケーシングの引き抜き時には該先端開口部を開放する蓋体によって構成したので、ケーシングの貫入時にはケーシング内に土砂が侵入せず、ケーシングの引き抜き時にはケーシング内に投入した残土等を地中に残置した状態で、ケーシングを容易に引き上げることができる。
【００４５】
請求項５に係る発明は、請求項１〜３のいずれかの発明において、開閉手段を、ケーシングの先端開口部より小径又は大径の蓋体と、該蓋体に設けられた前記ケーシングとほぼ等しい長さの保持軸とによって構成し、ケーシングの貫入時には前記蓋体により先端開口部を閉塞し、前記保持軸による蓋体の引上げによって該先端開口部を開放するように構成したので、簡単な構造で請求項４の発明の場合と同様の効果を奏することができる。
【図面の簡単な説明】
【図１】本発明の実施の形態１に係る杭の摩擦力増大方法の説明図である。
【図２】図１の平面説明図である。
【図３】図１のケーシングの説明図である。
【図４】実施の形態１の施工手順を示す説明図である。
【図５】実施の形態１の施工手順を示す説明図である。
【図６】本発明の実施の形態２に係るケーシングの説明図である。
【図７】本発明の実施の形態３に係るケーシングの説明図である。
【図８】本発明の実施の形態４に係るケーシングの説明図である。
【図９】本発明の実施の形態５に係る開閉手段の説明図である。
【図１０】本発明の実施の形態５に係る開閉手段の説明図である。
【図１１】本発明の実施の形態５に係る開閉手段の説明図である。
【図１２】本発明の実施の形態５に係る開閉手段の説明図である。
【符号の説明】
１  ケーシング
１ａ  リブ付きケーシング
２  鋼管
３  推進翼
４  残土等
６  リブ
１０  開閉手段
１１  蓋体
１２  保持軸
２５  杭打ち機
２６  駆動モータ
３０  杭
【図１】
0004677690.tif 000002
【図２】
0004677690.tif 000003
【図３】
0004677690.tif 000004
【図４】
0004677690.tif 000005
【図５】
0004677690.tif 000006
【図６】
0004677690.tif 000007
【図７】
0004677690.tif 000008
【図８】
0004677690.tif 000009
【図９】
0004677690.tif 000010
【図１０】
0004677690.tif 000011
【図１１】
0004677690.tif 000012
【図１２】
0004677690.tif 000013